Podtech/llm-jp-corpus-v4-ja_patent huggingface dataset:
(57)【要約】      （修正有）【課題】地震の揺れだけでなく、台風などの大きな風圧にも、建物の揺れや震動を防ぐ。【解決手段】建物の基礎底盤１の上面に、重なる基礎上盤２を設置し、その隙間の周囲から外部に空気が漏れないようにシール材３を設け、シール材に空気を供給するエアコンプレッサー８，エアータンク７及びバルブ６を設置する。台風及び平常時、建物は、地面に接している底盤１の上に盤２が自重で圧着しており摩擦により安定性が良く、揺れや震動をおこさない。地震発生時のみ、空気圧により盤２と共に建物を浮上させ、免震効果を発揮させる。【選択図】図１
0003119675.tif 000002
【実用新案登録請求の範囲】
【請求項１】
地震発生時、建物を空気圧により浮上させ、揺れを軽減する装置。
【考案の詳細な説明】
【考案の詳細な説明】
【技術分野】
【０００１】  本考案は地震発生時のみ、建物を空気圧により浮上させて揺れを逃がし、建物の揺れを軽減するものである。
【背景技術】
【０００２】  従来はゴムなどの緩衝材を基礎と建物の間に挟むように設置し、地震の揺れを逃がし免震効果を得ていた。
【考案が解決しようとする課題】
【０００３】  従来は常にゴムなどの緩衝材の上に建物が乗っており、台風などの大きな風圧により、揺れや震動を防ぐのが困難でした。
【課題を解決するための手段】
【０００４】  地面に底盤（１）を設け、それに接するように建物と一体の盤（２）を乗せ、平常時は建物の自重により摩擦で安定させ、地震時は空気圧により浮上させ隙間をつくり、底盤（１）と盤（２）の間の抵抗を無くし、地震の揺れを逃がす。
【考案を実施するための最良の形態】
【０００５】以下、本案の実施の形態について説明する。
（イ）  地面に底盤（１）を設置し、その上面に建物と一体となる盤（２）を乗せる。
（ロ）  底盤（１）と建物と一体となる盤（２）の間に注入される空気圧を外に漏らさない為のシール材（３）を設ける。
（ハ）  空気タンク（６）を設置し、地震揺れを感知して開くバルブ（５）を開き底盤（１）と建物と一体となる盤（２）の隙間に圧縮空気をパイプ（４）を介して注入出来るようにする。
【考案の効果】
【０００６】本案は以上のような構造で、平常時は図１の様に建物と一体となる盤（２）が、底盤（１）の面に自重で圧着して乗っており、摩擦により建物は安定していているが、地震の揺れを感知すると、図２の様にバルブ（５）が開き、空気タンク（６）より圧縮空気が底盤（１）と建物と一体となる盤（２）の間に注入され、シール材（３）により空気が外部に漏れない為、空気圧により、盤（２）と共に建物が浮上し、その隙間で底盤（１）と盤（２）の間の摩擦抵抗をなくし、地震による揺れを逃がす。
【図面の簡単な説明】
【図１】  本考案の平常時の断面図である。
【図２】  本考案の地震時の浮上断面図である
【符号の説明】
１  地面に設置され建物を安定させ、地震時は浮上用の空気を受け止めるための底盤
２  建物と一体で、地震時空気圧により建物と共に浮上する盤
３  底盤（１）と盤（２）の隙間より空気圧を外に漏らさない為のシール材
４  シール材（３）の固定されない側の滑り受け板
５  底盤（１）と盤（２）の間に空気を導入するパイプ
６  地震発生を感知し空気を注入するバルブ
７  エアータンク
８  エアーコンプレッサー
【図１】
0003119675.tif 000003
【図２】
0003119675.tif 000004
【手続補正書】
【提出日】平成17年12月1日(2005.12.1)
【手続補正１】
【補正対象書類名】実用新案登録請求の範囲
【補正対象項目名】全文
【補正方法】変更
【補正の内容】
【実用新案登録請求の範囲】
【請求項１】
建物の基礎底盤の上面に、重なる基礎上盤を設置し、その隙間の周囲から外部に空気が漏れないようにシール材を設け、地震時その基礎底盤と基礎上盤の隙間に空気を注入し空気圧により基礎上盤を浮上させ、その間の抵抗を無くし地震による基礎底盤の揺れを基礎上盤及びその上の建物に伝えずらくする免震装置。
(57)【要約】      （修正有）【課題】眼鏡のずり落ち防止装置を提供する。【解決手段】  伸縮性のベルトにフックを取付けたことを特徴とする眼鏡吊り下げ装置である。以上の構造で、これを使用する時は、額にベルトを装着し眼鏡ブリッジにフックをかけ適当位置にベルトを調節して眼鏡を安定させ眼鏡の圧力が鼻にかかる負担を減する。【選択図】図１
0003119673.tif 000002
【実用新案登録請求の範囲】
【請求項１】
伸縮性のベルトの輪に  フックを取付けこのフックにより  眼鏡ブリッジ部を吊り下げる装置。
【請求項２】
上記の装置に加え、このベルトの輪を２分する形で別に半円弧状の補助伸縮性ベルトを結んだもの。
【考案の詳細な説明】
【技術分野】
【０００１】  この考案は、伸縮性のベルトの輪に取付けたフックで、眼鏡を吊り下げる装置である。
【背景技術】
【０００２】  眼鏡のずり落ちを直す仕草は元来、眼鏡をかける人々に煩わしいことであった。
【考案の開示】
【考案が解決しようとする課題】
【０００３】  眼鏡を吊り下げて安定させるために考案されたものである。
【課題を解決するための手段】
【０００４】この考案は、伸縮性のベルトの輪に取付けたフックで、眼鏡のブリッジ部を吊り下げ眼鏡の圧力が鼻にかかる負担を軽減し、眼鏡を一定位置に保たせる。
【考案の効果】
【０００５】  眼鏡のずり落ちはその回数が大幅に減ることになりレンズと瞳の位置関係も安定し良好である。
また衝撃による眼鏡の脱落防止にも貢献できる。
【考案を実施するための最良の形態】
【０００６】  以下本考案の実施の形態について説明する。
１  伸縮性ベルト  ２  伸縮性補助ベルト  ３  フック
以上の構造で、これを使用する時は、額にベルトを装着し眼鏡ブリッジにフックをかけ  適等位置にベルトを調節して眼鏡を安定させる。
【図面の簡単な説明】
【０００７】
【図１】本考案の斜視図
【図２】本考案の使用状態を示す説明図
【符号の説明】
【０００８】１      伸縮性ベルト
２      伸縮性補助ベルト
３      フック
４      眼鏡
【図１】
0003119673.tif 000003
【図２】
0003119673.tif 000004
【手続補正書】
【提出日】平成17年11月28日(2005.11.28)
【手続補正１】
【補正対象書類名】実用新案登録請求の範囲
【補正対象項目名】全文
【補正方法】変更
【補正の内容】
【実用新案登録請求の範囲】
【請求項１】
伸縮性の環状ベルトの一端に  フックを取付けこのフックにより  眼鏡ブリッジ部を吊り下げる装置。
【請求項２】
請求項１  に記載の装置に加え、この環状ベルトの輪を二分する形で  別に半円弧状の補助伸縮性ベルトを結んだもの。
【手続補正書】
【提出日】平成17年11月28日(2005.11.28)
【手続補正１】
【補正対象書類名】実用新案登録請求の範囲
【補正対象項目名】全文
【補正方法】変更
【補正の内容】
【実用新案登録請求の範囲】
【請求項１】
伸縮性の環状ベルトの一端に  フックを取付けこのフックにより  眼鏡ブリッジ部を吊り下げる装置。
【請求項２】
請求項１  に記載の装置に加え、この環状ベルトの輪を二分する形で  別に半円弧状の補助伸縮性ベルトを結んだもの。
(57)【要約】      （修正有）【課題】切った毛が散乱しない、指や鼻の中を傷つけにくい、長い毛が一度にたくさん取れる、気になるところ・本当に切りたいところ・狙ったところが切れる、切っているという実感がわいて面白い、機材の手入れが必要ないなどの多くの利点があり、また紙の中の部分を、紙を折り曲げることなく、しかも正確に切ることができるハサミの提供。【解決手段】ものをはさむ小型ペンチのような機材に、刃をつけた鋏身を組み合わせ、片手の３本の指を使い、はさみつけてから切ることができるようにする。【選択図】図１
0003119672.tif 000002
【実用新案登録請求の範囲】
【請求項１】
右手で行う場合、中指と親指の閉じる動きによって、小型ペンチのような部分が稼動して鼻毛・頭髪・紙などをはさみつけ、更に人差し指の閉じる動きによって、刃のついた鋏身が稼動してはさみつけた鼻毛・頭髪・紙などを切り取ることを可能にしたはさみ。
【考案の詳細な説明】
【技術分野】
【０００１】  本考案は、ものをはさむ小型ペンチのような機材に、刃をつけた鋏身を組み合わせることによって、片手の３本の指だけを使い、鼻毛・頭髪・紙などをはさみつけてから切ることを可能にしたハサミに関するものである。
【背景技術】
【０００２】  従来は鼻毛等を切る時、先が丸い小型のハサミを使うか、回転式の鼻毛カッターを使用していた。
またハサミで紙の中の部分を切る時、紙を折り曲げてから切るしかなかった。
【考案の開示】
【考案が解決しようとする課題】
【０００３】  ハサミの場合は、切った毛が散乱してしまう、狙ったところをうまく切れない、指や鼻の中を傷つけやすいなどの欠点があった。鼻毛カッターの場合は、少しずつしか切れず切るのに時間がかかる、毛の先の方しか切れない、気になるところ・本当に切りたいところ・狙ったところがなかなか切れない、切っているという実感がなく面白みがない、１５００円程度とけっこう高価である、心棒の内刃の部分にも本体の刃溝の部分にも短い毛がたまり毎回の手入れがめんどうであるなどの欠点があった。
またハサミで紙の中の部分を切る時、紙を折り曲げてから切るしかないため、硬くて折り曲げにくい紙の場合や、紙を折り曲げないできれいに使いたい場合には、ハサミで紙の中の部分を切ること自体が困難であった。また折り曲げて切る時でも、切り口をきれいに正確に切ることが難しかった。
【課題を解決するための手段】
【０００４】  ものをはさむ小型ペンチのような機材に、刃をつけた鋏身を組み合わせることによって、片手の３本の指だけを使い、はさみつけてから切ることを可能にする。
【考案の効果】
【０００５】  一度はさみつけてから切ることができるため、切った毛が散乱しない、指や鼻の中を傷つけにくい、長い毛が一度にたくさん取れる、気になるところ・本当に切りたいところ・狙ったところが切れる、切っているという実感がわいて面白い、機材の手入れが必要ないなどの多くの利点がある。
また紙の中の部分を、紙を折り曲げることなく、しかも正確に切ることができる。
【考案を実施するための最良の形態】
【０００６】  小型ペンチのような機材の鋏身が交差する部分は、それぞれの鋏身に凹みをつけ、上（縦方向）から見たとき二つの鋏身が完全に重なり、はさみつける部分がずれたりしないようにする（図２）。小型ペンチのような機材の二つの鋏身と刃のついた鋏身とは、軸の部分でしっかり固定する。刃のついた鋏身と接する小型ペンチのような機材の鋏身（小型ペンチのような機材の鋏身（２））の柄の部分には、刃のついた鋏身の動きを止めるために、刃のついた鋏身側に張り出したストッパーをつける（図１）。
【実施例】
【０００７】  右手で行う場合には、中指と親指の閉じる動きで鼻毛等をはさみつけ、人差し指の閉じる動きではさんだ鼻毛等を切り取る。場所や毛が伸びている方向によっては、切った後の鼻毛等が散乱しないようにするために左手で行うことが望ましく、その場合には、人差し指と中指の閉じる動きで鼻毛等をはさみつけ、親指の閉じる動きではさんだ鼻毛等を切り取る。【０００８】・鼻毛をはさみつけ、少し引っ張った状態にしてから切る。
・白髪をはさみつけ、少し引っ張った状態にしてから切る。
・髪の毛の長すぎる部分をはさみつけ、少し引っ張った状態にしてから切る。
・紙の中の部分をはさみつけ、ずれないように押さえながら正確に切る。
【図面の簡単な説明】
【０００９】
【図１】全体図
【図２】小型ペンチのような機材の鋏身が交差する部分
【符号の説明】
【００１０】１  小型ペンチのよタな機材の鋏身（１）
２  小型ペンチのような機材の鋏身（２）
３  刃のついた鋏身
４  はさみつける部分
５  刃部
６  指掛部（中指用）
７  指掛部（親指用、左手で行う場合には人指し指用）
８  指掛部（人指し指用、左手で行う場合には親指用）
９  ストッパー（刃のついた鋏身側に張り出したもの）
【図１】
0003119672.tif 000003
【図２】
0003119672.tif 000004
【手続補正書】
【提出日】平成17年11月29日(2005.11.29)
【手続補正１】
【補正対象書類名】実用新案登録請求の範囲
【補正対象項目名】請求項１
【補正方法】変更
【補正の内容】
【請求項１】
ものをはさむ小型ペンチのような機材の軸に、先端部に刃をつけた鋏身の軸を固定することによって、片手の３本の指だけを使い、鼻毛・頭髪・紙などをはさみつけてから切ることを可能にしたハサミ。
(57)【要約】      （修正有）【課題】軽量で小型にし便器枠も折り畳み式にし、スペア用の用便袋もステッキに掛け一緒にして携帯できるトイレを提供する。【解決手段】ペットトイレは軽量のステッキに便器枠を付け、用便袋を取り付けた便器の角度がステッキ操作により要所にセットできる構造にしています。また散歩中は、便器枠を折り曲げて用便袋と一緒にステッキをつけて歩行できます。トイレの準備は、ステッキ操作により立った姿勢で便器枠を操作できるので、容易に素早く愛犬にセットすることができます。排泄物用便は、便器枠のアームにセットしてある用便袋に行います。この用便袋の開口部に閉口用の紐が付けてあります。用便後は、この閉口紐を引くことにより、便器枠のアームから自動的にはずれ袋の口が締り、用便袋を容易に取り外すことができる構造にし、使用者の利便を考慮しています。【選択図】図１
0003119671.tif 000002
【実用新案登録請求の範囲】
【請求項１】
ビニールなどの袋の口に閉用の紐を付け、ペット犬などの用便用袋を便器枠に取り外しでき、便器枠に取り外しできるステッキを付けた犬の用便用具。
【請求項２】
請求項１は軽量材を使用しステッキにスペア用便袋などの掛け具をつけ便器枠は多種サイズを製作しステッキに装着できる犬の用便用具。
【請求項３】
請求項１の、用便用具の角度や要所への位置合わせ操作は、ステッキ操作ででき、用便用袋便器枠は折り畳んでステッキ棒に付けて携帯できる犬の用便用具。
【考案の詳細な説明】
【技術分野】
【０００１】  本案は、ペット犬の散歩時の糞尿処理に関することで、ビニール袋と手シャベルを携帯して散歩することが一般的です。
しかし、手シャベル方式は用便後の処理用具です。それに中にはマナーに欠ける飼育者がいて、路上や公園の植え込みなどに未処理のまま放置されている物があちこちに見られます。
本案は、排泄される前に事後処理のできる、携帯用ペットトイレの考案です。したがって、排泄物により路上など他物を汚損することはありません。
【背景技術】
【０００２】  従来のペット犬の散歩時の糞尿処理具は、ビニール袋と手シャベル携帯方式で、それ以外のペット排泄物処理具を携帯した散歩者を、拝見したことがありません。
【考案が解決しようとする課題】
【０００３】  第一の課題は、現在のペット犬などの用便を路上や公園に直に行う方式を止めること。第二は、ペット愛好家が容易に使用でき携帯に便利なペット犬などのトイレを製作すること。第三は、ペット散歩には必ずペットトイレを携帯し、トイレ以外に用便はさせないことです。
【考案が解決するための手段】
【０００４】  上記の問題点を解決するため、従来の事後処理方式を改めペット愛好者が携帯に便利なペットトイレを製作します。
ペットトイレは軽量のステッキに便器枠を付け、用便袋を取り付けた便器の角度がステッキ操作により要所にセットできる構造にしています。また散歩中は、便器枠を折り曲げて用便袋と一緒にステッキつけて歩行できます。
トイレの準備は、素早くできることが第一です。準備はステッキ操作により立った姿勢で便器枠を操作できるので、容易に素早く愛犬にセットすることができます。
【０００５】  排泄物用便は、便器枠のアームにセットしてある用便袋に行います。この用便袋の開口部に閉口用の紐が付けてあります。用便後は、この閉口紐を引くことにより、便器枠のアームから自動的にはずれ袋の口が締り、用便袋を容易に取り外すことができる構造にし、使用者の利便を考慮して課題を解決しています。
【０００６】  用便袋の中が見えにくい色の素材を使用し、明るく清潔な色とします。また散歩に出かける前に用便袋を、一枚セットして置くと便利です。これで用便前の処理ができ、愛犬者が必ず使用してくれます。路上も公園も汚損しません。
【考案を実施するための最良の形態】
【０００７】  考案の実施の形態を図面により説明します。
図１，はペット犬などのトイレの説明見取り図です。
Ａ，ステッキ。  Ｂ，便器枠。  Ｃ，用便袋。Ｄ，用便袋の閉口紐。
Ｅ，ステッキと便器枠の接続部。で、この接続心棒で便器枠とステッキの角度を調整します。
Ｆ，スペア用便袋などの掛具。
Ｇ，予備接続ステッキ。必要としない時は外します。
図２，は、便器枠の平面見取り図による説明図です。
Ａ，ステッキ。Ｂ，便器枠。Ｅ，ステッキと便器枠の接続部。
Ｈ，用便袋取り付け具。で、便器枠の内側から用便袋の閉口紐を掛けて使用します。用便後は、閉口用紐を引くことで、自動的に閉口し便器枠からはずれます。
図３，は、用便袋の見取り図です。
Ｃ，用便袋。Ｄ，用便袋の閉口紐。Ｉ，用便袋の閉口紐の通し目。で、この紐を、Ｈ，用便袋取り付け具に取り付けます。
【考案の効果】
【０００８】      本考案は上述のとおりであります。
【０００９】  核家族、少子社会、高齢者が増えペットを飼う家が増加していくものと推定されます。ペットの朝夕の散歩も、間違いなく増加することでしょう。
可愛いペットとの朝夕の散歩は、飼育者にとってはこの上ない楽しい時間であるはずです。しかし他人に迷惑を掛けたのでは困ります。
本案の携帯用ペットトイレは、公共場を清潔にし更にペット散歩者を、より一層楽しくする効果を上げることができます。
【図面の簡単な説明】
【００１０】
【図１】はペット犬などのトイレに関する全体の説明用見取り図です。
【図２】は、便器枠の平面見取り図による説明図です。
【図３】は、用便袋の見取り図です。
【符号の説明】
図１，に．Ａ，Ｂ，Ｃ，Ｄ，Ｅ，Ｆ，Ｇ，記号使用。
図２，に．Ｈ，の記号。なお図２，のＡ，Ｂ，Ｅ，は図１と同じ記号を使用。
図３，に．Ｉ，の記号。なお図３，のＣ，Ｄ，は図１と同じ記号を使用しました。
【図１】
0003119671.tif 000003
【図２】
0003119671.tif 000004
【図３】
0003119671.tif 000005
【手続補正書】
【提出日】平成17年11月25日(2005.11.25)
【手続補正１】
【補正対象書類名】実用新案登録請求の範囲
【補正対象項目名】全文
【補正方法】変更
【補正の内容】
【実用新案登録請求の範囲】
【請求項１】
開口部に閉用の紐を付けた糞尿入れ袋を便器につけ、その便器を操作するステッキを付けた、ペットの糞尿入れ袋と便器とステッキを組み合わせた取り外しが容易に出来るペット携帯用トイレ。
【請求項２】
請求項１は軽量材を使用し、多種サイズの便器を制作し単独での使用、はステッキに取り付けて使用できるペット携帯用トイレ。
【請求項３】
請求項１の、ステッキに便器を付けて角度や位置が操作でき、使用後は便器をステッキから外し、糞尿入れ袋などと一緒にステッキの物掛け具に掛けて携帯できるペット携帯用トイレ。
(57)【要約】      （修正有）【課題】頭部と柄部の緩み、ガタツキ、抜けなどは発生しなくなる。また、作業中に緩み、ガタツキ、抜けなどが発生して作業効率が低下する心配もない。そして、柄の握り部分を太くすることにより、安定した握り感が得られるため、軽い力で大きな打撃力を発揮することが可能とする。【解決手段】木槌５の頭部開口部６ｂに柄の握り部分４ａとは反対の柄の先端部分４ｂを差し込み、この柄の先端部分４ｂに対して打撃面と直交する第一楔１、打撃面と平行する第二楔２をそれぞれ打ち込み、また頭部６側面から頭部開口部６ｂを貫通する貫通孔７を設け、この貫通孔７内に第三楔３を打ち込み、柄の握り部分４ａを太くすることによりこの課題を解決する。【選択図】図１
0003119674.tif 000002
【実用新案登録請求の範囲】
【請求項１】
木槌頭部開口部に柄部の握り部分とは反対の先端部分を差し込んだ状態で、開口部に差し込まれた柄部の先端部分に対して、打撃面と直交する第一楔と打撃面と平行する第二楔とを打って、この第一、第二楔の作用で頭部と柄部とを一体化したことを特徴とする。
【請求項２】
頭部側面中央部から頭部開口部を貫通する貫通孔を設け、この貫通孔内に第三楔を打ち、頭部と柄部とを一体化したことを特徴とする請求項１記載の木槌。
【請求項３】
木槌柄部の握り部分を太くしたことを特徴とする請求項１乃至請求項２のいずれかに記載の木槌。
【考案の詳細な説明】
【技術分野】
【０００１】本考案は手工具として使用される木槌に関するものである。
【背景技術】
【０００２】従来の木槌は木製の頭部に木製の柄部を差し込むための開口部を設け、柄の握り部分より開口部に差し込んで固定したのみであり、頭部と柄部の緩み、ガタツキ、抜けを防止する楔などの固定具は使用されていない。【０００３】ちなみに頭部が金属製である玄能、金槌、ハンマーなどに関しては、頭部の開口部に柄部の握り部分とは反対の先端部分を差し込み、柄部の先端部分に楔などの固定具を打ち込んで頭部と柄部を固定している。
【考案の開示】
【考案が解決しようとする課題】
【０００４】従来の技術では柄の握り部分を木槌頭部の開口部に差し込むため、握り部分を頭部の開口部寸法より小さくしなければならないので、柄部を細くする必要があった。
そのため柄部が細くなることから、握りが安定せず、使用時においては力が入らないため、大きな打撃力を得ることが出来ず、作業の効率性も悪かった。【０００５】また、従来の技術では楔などの固定具を用いていないため、頭部と柄部の締り具合は著しく弱く、使用頻度を増すと、柄部は徐々に締まっていくため、緩みやガタツキが生じ、柄部の抜けが発生する可能性もあり、その都度頭部と柄部を固定し直さなければならない。
【課題を解決する為の手段】
【０００６】  木槌頭部の開口部に柄部の握り部分とは反対の先端部分を差し込んだ状態で、開口部に差し込まれた柄部の先端部分に対して、打撃面と直交する第一楔と打撃面と平行する第二楔をそれぞれ打ち込み、また頭部側面から開口部を貫通する貫通孔を設け、この貫通孔内に第三楔を打ち込み、柄部の握り部分を太くした木槌を考案した。
【考案の効果】
【０００７】  本考案の木槌により、頭部と柄部の緩み、ガタツキ、抜けなどは発生しなくなる。
また、作業中に緩み、ガタツキ、抜けなどが発生して作業効率が低下する心配もない。
そして、柄の握り部分を太くすることにより、安定した握り感が得られるため、軽い力で大きな打撃力を発揮することが可能となる。
【考案を実施するための最良の形態】
【０００８】  考案を実施するための最良の形態として、木槌５の頭部開口部６ｂに柄部４の握り部分４ａとは反対の先端部分４ｂを差し込み、この柄の先端部分４ｂに対して、打撃面と直交する木製の第一楔１と打撃面と平行する金属製の第二楔２をそれぞれ打ち込み、また、頭部側面より開口部を貫通する貫通孔７を設け、この貫通孔７内に木製の第三楔３を打ち込むことにより、頭部６と柄部４の緩み、ガタツキ、抜けに対する問題は解消される。【０００９】  また、従来の柄部４の差し込み方法とは異なり、頭部６に柄の握り部分４ａとは反対の柄の先端部分４ｂを差し込む方法を採用しているため、柄の握り部分４ａを太くすることが可能となり、安定した握り感が得られるため、軽い力で大きな打撃力を発揮することが可能となる。
【図面の簡単な説明】
【００１０】
【図１】本考案の実施に係る全体斜視図である。
【図２】本考案の実施に係る頭部平面図である。
【図３】本考案の実施に係る頭部断面図である。
【図４】本考案の実施に係る全体側面図である。
【符号の説明】
【００１１】１    第一楔
２    第二楔
３    第三楔
４    柄部
４ａ  柄の握り部分
４ｂ  柄の先端部分
５    木槌
６    頭部
６ｂ  頭部開口部
７    貫通孔
【図１】
0003119674.tif 000003
【図２】
0003119674.tif 000004
【図３】
0003119674.tif 000005
【図４】
0003119674.tif 000006
【手続補正書】
【提出日】平成17年11月28日(2005.11.28)
【手続補正１】
【補正対象書類名】実用新案登録請求の範囲
【補正対象項目名】請求項１
【補正方法】変更
【補正の内容】
【請求項１】
木槌頭部開口部に柄部の握り部分とは反対の先端部分を差し込んだ状態で、開口部に差し込まれた柄部の先端部分に対して、打撃面と直交する第一楔と打撃面と平行する第二楔とを打って、この第一、第二楔の作用で頭部と柄部とを一体化したことを特徴とする木槌。
(57)【要約】      （修正有）【解決手段】ストロー全体を蛇腹にすることで、全体が曲がるようにした。【効果】ストローを用いた飲料の新しい飲み方が実現でき、さらにストローを使う飲み物に対し、嗜好品としての付加価値をつけることが可能になる。工作等において二次的に利用する際、作り手の想像力をより強く刺激するストローとなる。【選択図】図１
0003119677.tif 000002
【実用新案登録請求の範囲】
【請求項１】
全体が蛇腹であることで、全体を曲げることが可能なストロー
【考案の詳細な説明】
【技術分野】
【０００１】
この考案は、飲用のストローに関するものである。
【背景技術】
【０００２】
従来のストローに見られる蛇腹上の曲がる部位を、全体に適用したものである。
【考案の開示】
【考案が解決しようとする課題】
【０００３】
従来の曲がるストローは、曲がる角度や位置、方向に制限があり、不自由さがある。そしてストローはレストランやバー等、嗜好品を楽しむ場で多く用いられる物である為、ストロー及び飲み物を美しく見せる形態が求められている。またストローは、工作への利用等、素材としての二次利用価値が高く、従来の曲がるストローの持つ不自由さは、その二次利用な価値を妨げるものであった。
【課題を解決するための手段】
【０００４】
ストロー全体を蛇腹にすることで、全体が曲がるようにした。
【考案の効果】
【０００５】
この考案により、ストローを用いた飲料の新しい飲み方が実現でき、さらにストローを使う飲み物に対し、嗜好品としての付加価値をつけることが可能になる。工作等において二次的に利用する際、作り手の想像力をより強く刺激するストローとなる。
【考案を実施するための最良の形態】
【０００６】
飲用のストローとしての販売。
【図面の簡単な説明】
【０００７】
【図１】「蛇腹が収納された状態を示した図、及び蛇腹の拡大図である。」
【図２】「蛇腹を伸ばし、自由に変形させた図である。」
【図１】
0003119677.tif 000003
【図２】
0003119677.tif 000004
(57)【要約】      （修正有）【課題】歯を簡単に確実に綺麗に磨くことが出来る指ハブラシの提供。【解決手段】袋状かなる指ハブラシ（１）の中央部（２）に挿入口（３）に人指し指を中に入れて握り歯磨き粉を腹部面（４）に塗って擦り磨くようにした。【選択図】図３
0003119479.tif 000002
【実用新案登録請求の範囲】
【請求項１】
袋状の指ハブラシ（１）の中央部（２）に挿入口（３）がある指ハブラシ
【考案の詳細な説明】
【技術分野】
【０００１】本考案は人指し指に装着し指ハブラシの腹部面（４）に当たる部分に歯磨き粉を付けて歯を隅々まで磨くことが出来るようにしたものである
【背景技術】
【０００２】従来は人指し指に装着し指先を歯に搦めて磨く歯ブラシなかつた
【考案の開示】
［考案の解決しようとする課題］
【０００３】従来歯を磨く時は柄の先端に豚の毛やナイロンで作ったハブラシが良く使われたが、長期間使われ続けるとブラシの先端が丸くなり、綺麗に磨く事が出来なかつた
【課題を解決するための手段】
【０００４】本考案は、袋状の指ハブラシ（１）に挿入口（３）に人指し指を入れて握って歯を磨くようにした
【考案の効果】
【０００５】指ハブラシ（１）の中央部（２）にある挿入口（３）に人指し指を入れて握り、指ハブラシの腹部面（４）に歯磨き粉を塗り，歯の表裏面に指先を搦めて，歯を綺麗に磨くことが出来る構造になっている。幼児や子供達でも手間や熟練を要しなくても、容易に歯根部や歯肉部に傷つけることなく磨くことができる
［考案の実施するための最良の形態］
【０００６】袋状の指ハブラシ（１）は例えば、毛足の長い布やポリエステル不織布、ウレタンゴムのような物を用いて，袋状の形に作製し，中央部（２）に挿入口（３）を取り付け、１本の指ハブラシ（１）が左右に分かれ、指ハブラシ（１）が左右、１本づづ出来、左右どちらか、一方に人指し指を挿入口（３）に入れて、残つた部位を握る構造になっている。
【実施例】
【０００７】以下、添付図面に従つて一実施例を説明する。
（１）は毛足の長い布やポリエステル不織布等適宣素材にて一本化形成された指ハブラシ本体、（２）は指ハブラシ中央部（３）は挿入口に人指し指を入れた所、
【図面の簡単な説明】
【０００８】
【図１】はこの考案を施した指ハブラシの側面図
【図２】は            〃              断面図
【図３】は            〃              人指し指を挿入口に入れた断面図
【符号の説明】
【０００９】（１）袋状の指ハブラシの本体
（２）〃  指ハブラシの中央部
（３）〃  指ハブラシの挿入口
（４）〃  指ハブラシ腹部面
【図１】
0003119479.tif 000003
【図２】
0003119479.tif 000004
【図３】
0003119479.tif 000005
(57)【要約】      （修正有）【課題】サンゴの飼育に使用するカルシウムリアクターを小型化し、カルシウムリアクター本体を水槽及びろ過槽に外掛け出来る取り付け具を設け、従来大型のカルシウムリアクターが必要としていた設置場所の問題や小型設備での飼育の問題を解決する外掛け式カルシウムリアクターを提供する。【解決手段】カルシウムリアクターを小型化し、カルシウムリアクター本体１に設けたコの字型取り付け具２．３の間に水槽及びろ過槽の枠が入るように設置し、２．３と水槽及びろ過槽の枠との間に出来たスペースを４のボルトをねじ込み固定する。水槽及びろ過槽の枠に固定したカルシウムリアクターは、従来別々に必要としていた設置場所を必要とせず、小型設備でのサンゴの飼育も可能となる。またすぐ取り外しの出来る事によりメンテナンスも容易となる。【選択図】図１
0003119472.tif 000002
【実用新案登録請求の範囲】
【請求項１】
サンゴの飼育に使用される器具であるカルシウムリアクター本体を、水槽及びろ過槽の枠に外掛けできる部分を設けた、外掛け式カルシウムリアクター。
【考案の詳細な説明】
【技術分野】
【０００１】  本考案は、水槽及びろ過槽の枠に外掛けの出来るカルシウムリアクターに関するものである。
【背景技術】
【０００２】  サンゴの飼育でカルシウムリアクターを使用する場合、水槽、ろ過槽、カルシウムリアクターは別々に設置する場所を設けていた。また、従来のカルシウムリアクターは大型の装置が多く、水槽やろ過槽の設備も大型を必要としていた。
【考案の開示】
【考案が解決しようとす課題】
【０００３】  水槽、ろ過槽、カルシウムリアクターを別々に設置する事により、スペースが余分に必要となり、狭い場所での使用はメンテナンスも容易でなかった。
従来のカルシウムリアクターが大型であるため、小型のサンゴの飼育設備での使用は困難であった。
【問題を解決するための手段】
【０００４】  本考案は、カルシウムリアクターを小型化し、本体を水槽及びろ過槽に外掛けの出来る取り付け具を設け、設置場所の問題や小型設備での飼育の問題などを解決する。
【考案の効果】
【０００５】  上述のように、本考案の外掛け式カルシウムリアクターは、水槽やろ過槽に外掛け出来る事で、設置場所を多く必要とせず、小型化する事により小型設備でのサンゴ飼育も可能となる。また、すぐに取り外しの出来る事によりメンテナンスが容易となる。
【考案を実施するための最良の形】
【０００６】  カルシウムリアクター本体に設けたコの字型取り付け具の部分に水槽及びろ過槽の枠が入るよう設置する。コの字型取り付け具は各種の水槽やろ過槽に対応出来るように取り付け部を広く設けてある。空いた部分は、付属のボルトをコの字型取り付け具に設けてあるネジ穴にねじ込み、水槽又はろ過槽に固定する。
【実施例】
【０００７】  以下、付属図面に従って一実施例を説明する。１はカルシウムリアクター本体、２．３はカルシウムリアクターに設けたコの字型取り付け具、４はカルシウムリアクター本体と水槽及びろ過槽に固定するボルトで、水槽の枠が２．３の間に入るよう設置する。設置後２．３の間に出来たスペースは４のボルトをねじ込む事により固定出来る。５はカルシウムリアクター用循環ポンプで水槽及びろ過槽から飼育水を取り込み、カルシウムリアクター内で循環し、カルシウムを含んだ飼育水を水槽及びろ過槽に戻している。
【図面の簡単な説明】
【０００８】
【図１】外掛け式カルシウムリアクターを水槽に取り付けた正面図。
【図２】小型水槽でのサンゴ飼育実施例図。
【符号の説明】
【０００９】１  外掛け式カルシウムリアクター本体
２  コの字型取り付け具
３  コの字型取り付け具
４  固定ボルト
５  カルシウムリアクター用循環ポンプ
６  水槽及びろ過槽
７  飼育水吸水ホース
８  飼育水排水ホース
【図１】
0003119472.tif 000003
【図２】
0003119472.tif 000004
(57)【要約】      （修正有）【課題】構造の簡素化、重量の軽減化、鉄筋の脱着が容易となり、金具は吊り上げた時に鉄筋の重量が掛かることにより、連接しているアームが滑動し鉄筋を固定するため、作業者における鉄筋脱着作業の負担軽減を目指すとともに、同時に確実で安全な鉄筋丸棒保持の基、鉄筋組立作業の効率向上が図れた。【解決手段】本考案に係る鉄筋異形丸棒横吊り金具は、構造を簡素化するとともに重量を軽減し、吊り上げ金具の維持管理を必要としない構造化を図り、また、金具自体は一動作による鉄筋脱着方式のため、作業者の負担軽減を目指すとともに、同時に確実で安全な鉄筋丸棒保持を図った。【選択図】図２
0003119480.tif 000002
【実用新案登録請求の範囲】
【請求項１】
鉄筋異形丸棒横吊り金具は、吊り上げ支持を目的とする吊り上げアーム部と、鉄筋丸棒を押圧固持する、２対の滑動押圧アーム部より構成されるものであって、鉄筋丸棒押圧固持部は、吊り上げアーム部の、ワイヤー結束部のもう一方端に支持支点を持つ、２対の滑動押圧アームと連接し、滑動押圧アームはそれぞれ長短２本のアームが連接した構造であり、金具本体下部Ｊ字型鉄筋丸棒受け構造体が異形鉄筋丸棒を受止め安定保持し、吊り上げアーム部がクレーンワイヤーで引き上げられると、２対の滑動押圧アームが鉄筋を押圧し固持に働く、また、滑動押圧アームの連接部に支持点を持つ、滑動押圧アーム部に接続された脱着レバーを下に稼動することにより、鉄筋丸棒を押圧開放に働き、鉄筋の簡便脱着を容易にした構造を特徴とする、鉄筋異形丸棒横吊り金具。
【考案の詳細な説明】
【技術分野】
【０００１】本考案は、建築土木工事における、鉄筋の組立作業において、様々な鉄筋径および長さの異なる鉄筋丸棒を組み立てる際、多用するクレーンによる鉄筋の吊り上げ組立作業に、簡便な方法で確実な鉄筋吊り上げ固定を目的とする、鉄筋異形丸棒横吊り金具に関するものである。
【背景技術】
【０００２】従来、クレーンによる長太鉄筋の吊り上げ組立作業に、様々な鉄筋吊り上げ金具が考案されているが、確実な鉄筋の固定と容易な脱着を目的とする、横吊り金具がなかったため、人力作業しかできず、作業者に大きな負担がかかっていた。
【考案の開示】
【考案が解決しようとする課題】
【０００３】クレーンによる鉄筋の吊り上げ組立作業における、前述の課題を解決するため、種々の提案がなされているが、例えば、クレーンにより巻き上げられるワイヤー端部に、フック形態を有し、鉄筋の脱落を防止する上で、安全爪を取り付ける金具が多用されているが、安全爪が１個であること、錆による機能の低下により、フック状金具は、しばしば鉄筋の脱落事故をみるなど欠点がある。【０００４】一方、古典的ではあるが、クレーンにより巻き上げられるワイヤーに直接、鉄筋を巻き付け支持固定する方法も実施されているが、鉄筋の吊り上げ運搬に多くの労力と時間を費やしている。
【課題を解決するための手段】
【０００５】前記課題を解決するため、本考案に係る鉄筋異形丸棒横吊り金具は、構造を簡素化するとともに重量を軽減し、吊り上げ金具の維持管理を必要としない構造化を図り、また、金具自体は一動作による鉄筋脱着方式のため、作業者の負担軽減を目指すとともに、同時に確実で安全な鉄筋丸棒保持を図った。
【考案の効果】
【０００６】本考案によると、鉄筋異形丸棒横吊り金具は、構造の簡素化により、吊り上げ金具自体の重量の軽減化と、鉄筋の脱着が容易となり、金具は吊り上げたときに鉄筋の重量が掛かることにより、連接しているアームが滑動し鉄筋を固定するため、作業者における鉄筋脱着作業の負担軽減を目指すとともに、同時に確実で安全な鉄筋丸棒保持の基、鉄筋組立て作業の効率向上が図れた。
【考案を実施するための最良の形態】
【実施例】
【０００７】以下、本考案の実施形態につき図を参照して説明する。図１には、本考案に係る鉄筋異形丸棒横吊り金具１０が鉄筋搬送用クレーンＸのワイヤーＹに装着され、鉄筋丸棒Ｚを保持している状態が示されているが、この金具で使用できる鉄筋丸棒Ｚの径はＤ２９からＤ５１までである。【０００８】本考案、鉄筋異形丸棒横吊り金具において、図２のａ），ｂ）で説明すると金具本体１０にクレーンＸから吊り上げられた、ワイヤーＹを結束するための、吊り上げアーム部には円筒孔を持つワイヤー結束部２０があり、ワイヤー結束部２０は金具本体の上部に位置しており、鉄筋丸棒Ｚを支持固定する２対の押圧アーム部２３は、先端に横ずれ防止板２４を有し、押圧アーム部で押圧し、横ずれ防止板で鉄筋丸棒の横ずれを防止し、本考案金具の下部に位置している、鉄筋丸棒Ｚを受け留める鉄筋丸棒受部２５に、鉄筋丸棒を固持する状態を見ることができる。【０００９】図３では、本考案、鉄筋異形丸棒吊り金具の正面図ａ），側面図ｂ），背面図ｃ）を示す平面図であるが、鉄筋の脱着時使用する、脱着レバー２１が正面図ａ）により示されているが、鉄筋丸棒Ｚの脱着に際し、脱着レバー２１を下部に引き下げることにより、鉄筋丸棒Ｚが開放され、脱着レバー２１をはなすとバネの力でアーム２３が下がり、鉄筋丸棒Ｚは固持される。【００１０】図４では、本考案、鉄筋異形丸棒横吊り金具の内部構造を示し、吊り上げアーム部の円筒孔を持つ結束部２０とは、２対の押圧アーム２３と連接しており、吊り上げアーム部が上方に吊り上げられると、２対の押圧アーム２３は鉄筋丸棒側に押圧される。バネ３０が装着された押圧アーム２３は装着の際に、鉄筋丸棒の固定を助ける機能を有する構造となっている。
【産業上の利用可能性】
【００１１】本考案における、鉄筋異形丸棒横吊り金具は、構造を簡素化するとともに、重量を軽減し、吊り上げ金具の維持管理を必要としない構造化を図り、また、金具自体は一動作による鉄筋脱着方式のため、作業者の負担軽減を目指すとともに、確実で安全な鉄筋丸棒保持を獲得することができる。
【図面の簡単な説明】
【００１２】
【図１】鉄筋異形丸棒横吊り金具が鉄筋搬送用クレーンのワイヤーに装着された状態の斜視図
【図２】本考案、鉄筋異形丸棒横吊り金具に鉄筋丸棒が固持された状態を示す正面および側面の平面図
【図３】鉄筋異形丸棒横吊り金具の正面図ａ），側面図ｂ），背面図ｃ）を示す平面図
【図４】本考案、鉄筋異形丸棒横吊り金具の内部構造
【符号の説明】
【００１３】Ｘ    鉄筋搬送用クレーンアーム部
Ｙ    吊り上げ用ワイヤー
Ｚ    鉄筋丸棒
１０  本考案鉄筋異形丸棒横吊り金具
２０  吊り上げアーム部のワイヤー結束部
２１  脱着レバー
２２  脱着レバー支持部
２３  ２対の押圧アーム
２４  横ずれ防止板
２５  鉄筋丸棒受部
３０  ２対の押圧アーム用バネ
【図１】
0003119480.tif 000003
【図２】
0003119480.tif 000004
【図３】
0003119480.tif 000005
【図４】
0003119480.tif 000006
(57)【要約】【課題】市販の窓拭きワイパーは対象となる窓ガラスにほぼ直角には当たる程度で、ワイパーが軸に対して中心線上にはいなく、力がまっすぐには入らず、ガラス面に筋や、むらが残ってしまうので、何回もこすらなければならない。また柄の先にワイパーがあり、力がワイパーに伝わり難い問題があった。【解決手段】対象物に当たりやすいように、ワーパーを柄の中心線から放射線状に角度を設け、かつ、ワイパーが対象物に向かって角度を変えることが出来るように、ワイパーの柄の末端部に回転して支点保持部の周りを回る支点回転軸を設け、さらにこの部分に遊びを設け、パイプの一部に設けた支点保持部と支点回転軸が点接触することによって摩擦を最小として、ワイパーがパイプの下で３６０度自在に回転変化し、対象物に常に直角に向かう機能を持たせた窓拭きワイパーあるいはウォッシャー、塗装用ローラーとした。【選択図】図１
0003119473.tif 000002
【実用新案登録請求の範囲】
【請求項１】
梃子の原理を用いて常にワイパーが常に窓に対して直角に当たって安定し、筋やむらの無い仕上がりを達成できるように、パイプの一部を支点の保持部として、ワイパーの柄の末端部に円柱を細くした支点回転軸を挟んで、パイプの下で３６０度どの方向へも向く構造にした窓拭きワイパーおよび窓拭き研摩ワイパー
【請求項２】
梃子の原理を用いて常にローラーが常に壁に直角に当たって安定して止まり、小さな力で安定した作業が出来るように、パイプの一部を支点の保持部として、ワイパーの柄の末端部に円柱を細くした支点回転軸を挟んで、パイプの下で３６０度どの方向へも向く構造にした塗装用ローラーあるいは塗装用ブラシ
【考案の詳細な説明】
【技術分野】
【０００１】窓拭きワイパー、ウォッシャー、塗装用ローラー
【背景技術】
【０００２】窓拭きワイパーは専門業者ではロープを使って作業するので、両手を使って、窓拭きを作業できるが、通常家庭用窓ふきワイパーやウォッシャーは長い柄を使ってワイパーを使用するので、なかなか窓ガラスに均等に力を伝えられずに筋が窓に残ってしまう。【０００３】塗装用のローラーは延長棒を使うとき、先端に力が均等に伝わり難く、柄の先がしなり、塗装のむらや筋が残りやすい。
【考案の開示】
【考案が解決しようとする課題】
【０００４】市販の窓拭きワイパーは対象となる窓ガラスにほぼ直角に当たる程度なので、ワイパー面が窓ガラスに当たってはいるが、軸の中心線上にあるわけではないので、確実に左右対称には当たらない。そこで仕上げに筋やむら文様が付いてしまう。【０００５】柄の保持しているところが力点であるが力点からワイパーまでの距離が離れているので、力が伝わり難いので、さらに力を入れなければならなくなり、さらに不安定となる。
【課題を解決するための手段】
【０００６】対象物に当たりやすいように、柄の中心部より放射線状に角度を設け、ワイパーが柄の中心線上に必ず来るように、支点を設け、作用点が常に支点と一直線上にあって、この支点で３６０度回転できるような構造とした。【０００７】この結果梃子の原理で力点の力が支店に伝わり、作用点までの大きなモーメントとなって、ワイパーに直角に力が伝わり、力のロスが無くなくなった。また支点回転軸の真上に設けたパイプの支点を固定する支点保持部は球面とし、支点回転軸の接触を点接触とし、かつ、ある程度の遊びを設け、ワイパーがより対象ガラスに自在にさらに向きやすい構造とした。【０００８】塗装用のローラーのローラーが柄の中心線上にあって、常に直角に当たるように柄の端に３６０度回転できる支点回転軸を設け、ローラーが作用点として、柄の保持する部分を力点として、パイプの一部を柄の円状の絞った支点保持部で支点回転軸が自在に回転できる構造とした。
【考案の効果】
【０００８】上述の構造によって、ワイパーがガラスに確実に直角に当たり、力のロスも無く、しかも小さな力で、安定した力と、大きな力で作業が出来るようになって、作業性と、仕上がりが格段と向上した。【０００９】上述の構造によって、ローラーが常に柄の中心線上にあって、常に対象面の壁に向かって、直角に当たり、ペンキの厚みむら、筋がつきにくくなった。
【考案を実施するための最良の形態】
【００１０】ワイパーと柄の中心線上より放射線状角度を設け、柄の末端部に円柱状の支点回転軸、を設け、その真上のパイプの一部を絞って、支点保持部を設け、自在に柄がワイパーの動きに応じて、３６０度回転できる構造とした。
柄の保持部が力点として梃子の原理を応用して、力点の力が対象物、作用点、に確実に直角に当たるように、支点の周りを３６０度回るようにした。【００１１】支点保持部と柄の末端部の円柱状の支点回転軸の間は相互が点接触して、摩擦を最小にして動ける遊びを設け、小さなワイパーの動きに速やかに直角に動けるようにした。
【実施例】
【００１２】上述の考案を実施したワイパーの実施例を真横から見た
【図１】
【００１３】上述の考案を実施したと塗装用ローラーの実施例
【図３】
【産業上の利用可能性】
【００１４】支点の支点固定軸と支点回転軸をねじ止めなどで固定することとし、柄の支点回転軸の真上にパイプの一部を絞った半円球状の支点保持部を設けることによって、柄の回転軸が点接触となり、３６０度自在に動くようになったので、即利用可能となった。
パイプの曲げ加工は公知の技術で即利用可能。
全分野で実現可能で機能性、作業性も格段と向上し、産業上即利用できる。
【図面の簡単な説明】
【００１５】
【図１】側面から見た、梃子の原理を利用して３６０度回転し、常に窓ガラスに直角に当たる構造にしたワイパーの実施例
【図２】真上から見た、梃子の原理を利用して３６０度回転して、常に窓ガラスに直角に当たるようにしたワイパーの実施例
【図３】側面から見た、梃子の原理を応用して、ローラーが３６０度回転して直角に壁に当たるようになった塗装用ローラーの実施例
【符号の説明】
【００１６】１    ワイパーのゴム
２    ゴム保持部
３    柄の回転軸とワイパーのゴム保持部との角度
４    柄の末端部の支点回転軸
５    パイプ
６    パイプの支点保持部
７    作用点
８    力点
９    支点
１０  支点固定軸
１１  支点回転軸
ａ    力点から作用点までの距離
ｂ    力点から支点までの距離
ｃ    支点から作用点までの距離
Ｐ    力点で入れる力
【図１】
0003119473.tif 000003
【図２】
0003119473.tif 000004
【図３】
0003119473.tif 000005
(57)【要約】      （修正有）【課題】力の弱い人が容易に紙屑袋の処理可能としたシュレッダー用紙屑袋保持装置を提供する。【解決手段】シュレッダー本体より屑袋保持装置を容易にし、かつ、前部の開口部より屑袋を引き出すことが出来るので、シュレッダーで細断した用紙を屑袋に圧縮し詰めると屑袋の重量は重く、力の弱い人が屑袋保持装置から取り出すことが困難であった。【選択図】図２
0003119475.tif 000002
【実用新案登録請求の範囲】
【請求項１】
用紙屑袋保持装置において、用紙細断取り入れ口と用紙屑袋取り出し口の開口部を併設したシュレッダー用屑袋保持装置。
【考案の詳細な説明】
【技術分野】
【０００１】  本考案は、シュレッダーの用紙屑袋保持構造を改良し紙屑袋の取り外しを容易にしたシュレッダー。
【背景技術】
【０００２】  シュレッダーの用紙屑袋保持装置が提案されている。【０００３】  従来のシュレッダーの用紙屑袋保持装置は箱型又は筒状の保持体が一般的である。
【考案の開示】
【０００４】  実用新案出願  平３−５４８６１
実用新案出願  平３−９９３９０
【考案が解決しようとする課題】
【０００５】  そこで、従来の用紙屑袋保持装置には次のような問題があった。
（１）従来は用紙屑袋を取り出す時、保持装置を取り出し用紙屑袋を保持装置より持ち上げる必要があった。
（２）特に切断紙圧縮装置で袋詰めされた屑袋は重く、力の弱い人が屑袋を持ち上げ取り出す事は困難であった。
【０００６】  そこで、本考案の目的は上記従来の有する問題を解決し、力の弱い人でも容易に保持装置を引き出し屑袋を取り出すことを可能としたシュレッダー用紙屑袋保持装置を提供することである。
【課題を解決するための手段】
【０００７】  上記目的を達成するために、本考案による用紙屑袋保持装置は屑袋保持装置の前面を開口した。
【０００８】  前面の開口部上部には取り外し容易な横バーを設置し屑袋取付を容易とした。
【０００９】  また、屑袋保持装置は前面に引き出すことを容易とするために、底面前部にキャスターを、底面両側に接する部分は摩擦係数の小さな材料で受け、屑袋保持装置の引き出しを一段と容易に出来た。
【考案の効果】
【００１０】  用紙屑袋保持装置の引き出しを容易にし、かつ、重い屑袋の取り外しも容易に行うことが出来た。
【図面の簡単な説明】
【００１１】
【図１】  図１は一般的なシュレッダーの概略図を示す。Ａはシュレッダー本体、Ｂは切断紙圧縮装置、Ｃは本考案による用紙屑袋保持装置を示す。
【図２】  図２は本考案による保持装置より用紙屑袋を取り出す図を示す。Ａのシュレッダー本体で細断された用紙屑をＢの切断紙圧縮装置でＤの用紙屑袋に圧縮袋詰めされた屑袋をＣの用紙屑袋保持装置に装着された状態で引き出し、１の横バーを取り外し、Ｄの用紙屑袋をイ矢視方向に取り出す状態を示す。２はＣの用紙屑袋保持装置の引き出しを容易にするためのスベリ板である。
【図３】  図３は本考案による用紙屑袋保持装置を示す図である。Ｃの用紙屑袋保持装置の上部には、脱着容易な１の横バーが設置される。これによりＤの用紙屑袋の装着を容易にした。また、Ｃの用紙屑袋保持装置の底面に３のキャスターを設置し、Ｃの用紙屑袋保持装置の引き出し時、Ｃの用紙屑袋保持装置の前部に荷重が加わっても引き出しを容易にしている。
【符号の説明】
【００１２】Ａ      シュレッダー本体
Ｂ      切断紙圧縮装置
Ｃ      用紙屑袋保持装置
Ｄ      用紙屑袋
イ      用紙屑袋取り出し方向
１      横バー
２      スベリ板
３      キャスター
【図１】
0003119475.tif 000003
【図２】
0003119475.tif 000004
【図３】
0003119475.tif 000005
(57)【要約】      （修正有）【課題】ハーブの植栽にかかる作業時間が短縮でき、なお且つ敷設と同時に効果が波及され、さらにロール状にできることにより、運搬等する際の利便性がある。【解決手段】育苗床もしくは育苗トレイに防根シートを敷設し、土壌改良剤等を主成分としたマット材上に播種し、生長した根がマット原料成分を網状に覆うことでマット状態を形成する、さらに育苗床もしくは育苗トレイから分離させたときにロール状にできる。【選択図】図３
0003119476.tif 000002
【実用新案登録請求の範囲】
【請求項１】
育苗床に木枠を設置するかもしくは、育苗トレイを使用して、該木枠もしくは該育苗トレイの底面および壁面に防根シートを敷設し、該防根シート上に土壌改良剤としてピートモス、元肥として炭酸カルシウム、窒素、リン等微量要素を混合したものを含むマット材を載敷し、播種を行う、これにより根が網状に該マット材を覆うように成長し、マット化されロール状態を可能とすることを特徴とするハーブ苗。
【請求項２】
請求項１に記載のマット材の配合割合は、ピートモスを１００グラムとし、炭酸カルシウム８グラム、熔性りん肥２グラム、副産植物質肥料１グラム、ほう素有機入り複合肥料１グラムを基本とするマット材。
【考案の詳細な説明】
【技術分野】
【０００１】本考案は、園芸用として庭、公園、畦道等における植栽、また、法面の土留め、緑化に関するものである。
【背景技術】
【０００２】近年、街中や公園にハーブを植栽して緑化を図ることによって美観を向上させたり、田畑の畦道に害虫の忌避作用のあるハーブを植栽し農薬の使用を抑制することが促進されている。これらを現状では土壌改良を行ったうえで、播種またはポット苗からの移植によって行われている。
【考案の開示】
【考案が解決しようとする課題】
【０００３】本考案の課題は、植栽面の土壌改良の手間を省き、播種による場合の不安定な発芽率による密集率の斑、発芽成長までの時間的経過による効果の遅れ。ポット苗の場合の使用量の計算の面倒、移植の手間が掛かるとの課題があった。
【課題を解決するための手段】
【０００４】上記課題を解決するための本考案に掛かるマット状ハーブ植栽用苗は、育苗床に木枠を設置するかもしくは育苗トレイを使用し、その底面および壁面に防根シートを敷設し、そのシート上に土壌改良剤および各種肥料を混和させたマット材を載置した状態で播種を行う、これにより根が網状に該原料成分を覆う様に成長し、マット状態を形成するとともにロール状にできることを特徴とする。【０００５】また、マット材は、ピートモスを主成分とし炭酸カルシウム、窒素等微量要素から構成されている、これらは苗および根の成長を促進するためのものであり、これにより根が網状にマット材を覆う、園芸用土では同様の効果が得られていない。【０００６】さらに、該マット材であるピートモス、炭化カルシウム、窒素等微量要素は、土壌改良剤および肥料であるため、植栽面に対する土壌改良等をほとんど必要としない。
【考案の効果】
【０００７】以上記述したように、本考案によれば、ハーブの植栽にかかる作業期間が短縮でき、なお且つ敷設と同時に効果が波及される、さらにロール状にできることにより運搬等する際の利便性も提供できる。
【考案を実施するための最良の形態】
【０００８】  本考案によるマット状ハーブ植栽用苗の好ましい実施の形態を詳細に説明する。
図１は本考案の好ましい実施の形態に係る育苗状態の全体図である、図２は前期育苗状態を示した図１の断面図である、図３はマット化され育苗床から分離し、ロール状を示した状態図である。【０００９】  防根シート５は、マット材１の底面からマット材１の高さを超える状態に敷設する、これにより成長した根が防根シート５に達した後に網状に成長しマット材を覆う。【００１０】  木枠もしくは育苗トレイの壁面４の高さは、マット材１の高さを超えるが、播種面が日陰になりすぎないよう適宜高さをもって構成されている。
【図面の簡単な説明】
【００１１】
【図１】育苗状態の全体図
【図２】育苗状態の断面図
【図３】マット化後のロール状態図
【符号の説明】
【００１２】  １  マット材
２  苗
３  網状に生育した根
４  木枠もしくは育苗トレイ壁面
５  防根シート
【図１】
0003119476.tif 000003
【図２】
0003119476.tif 000004
【図３】
0003119476.tif 000005